(57)【要約】【課題】シート搬送方向の変更部位に配置される駆動ローラと従動ローラとによるシート搬送性、およびシート進入性を共に満足すると共に、さらに下給紙搬送のみならず上給紙搬送、手差し搬送にも対応可能なシート搬送装置を提供する。【解決手段】加圧解除手段２５と、レジストローラ４に接離可能に設けられ、下方から搬送されてくる用紙Ｐの先端をレジストローラ４に案内する進入コロ１１と、進入コロ１１をレジストローラ４に接離する接離手段２７と、レジストローラ４と進入コロ１１との間に用紙Ｐを進入させるシート進入時には、進入コロ１１をレジストローラ４に接触させると共に加圧の解除を行わせ、レジストローラ４と加圧ローラ５とによるシート搬送時には、進入コロ１１をレジストローラ４から離間させると共に加圧を行うように、加圧解除手段２５および接離手段２７の作動を切り換える可変カム１４とを有する。【選択図】図２
2011246257.tif 000002
【特許請求の範囲】
【請求項１】
シート搬送方向を変更する部位に配置され、シートを搬送する駆動回転部材および該駆動回転部材に接離可能な第１の従動回転部材からなる一対の回転部材を備えたシート搬送装置において、
前記駆動回転部材に対する第１の従動回転部材の加圧および解除を行う加圧解除手段と、
第１の従動回転部材よりも前記駆動回転部材の回転方向の上流側で前記駆動回転部材に接離可能に設けられた第２の従動回転部材であって、第２の従動回転部材の搬送方向上流から搬送されてくるシートの先端を前記駆動回転部材に案内する第２の従動回転部材と、
第２の従動回転部材を前記駆動回転部材に接離する接離手段と、
前記駆動回転部材と第２の従動回転部材との間にシートを案内・進入させるシート進入時には、前記接離手段をして第２の従動回転部材を前記駆動回転部材に接触させると共に前記加圧解除手段をして前記加圧の解除を行わせ、前記駆動回転部材と第１の従動回転部材とによるシート搬送時には、前記接離手段をして第２の従動回転部材を前記駆動回転部材から離間させると共に前記加圧解除手段をして前記加圧を行うように、前記接離手段および前記加圧解除手段の作動を切り換える切換手段と、
を有することを特徴とするシート搬送装置。
【請求項２】
請求項１記載のシート搬送装置において、
第２の従動回転部材が前記駆動回転部材から離間して第１の離間位置を占めたとき、第２の従動回転部材の下端と、前記駆動回転部材および第１の従動回転部材の挟持部とを通る直線が略水平状態になるように構成されており、
前記略水平状態となる第１の離間位置を占めた第２の従動回転部材の前記下端に接触可能なシートガイド面を備えた可動部材を有し、
上方向からのシート搬送および手差しシート搬送にも対応可能であることを特徴とするシート搬送装置。
【請求項３】
請求項２記載のシート搬送装置において、
前記可動部材は、前記シートガイド面の一端部が前記略水平状態から下方に揺動可能に支持されており、
前記切換手段は、第１の離間位置を占めた第２の従動回転部材の前記下端と前記可動部材の前記一端部側のシートガイド面との挟持部に、上方向からのシートの先端を進入させた後、前記接離手段をして第２の従動回転部材を第１の位置よりも下方の第２の位置を占めさせるように、前記接離手段の作動を切り換えると同時に、前記可動部材が前記下方に揺動することにより、上方向からのシート搬送時においても前記駆動回転部材の外周面にシートを巻き付けてのシート搬送が可能であることを特徴とするシート搬送装置。
【請求項４】
請求項１ないし３の何れか一つに記載のシート搬送装置において、
前記加圧解除手段は、
前記駆動回転部材における回転方向下流側の自由端部が第１の従動回転部材を回転可能に支持し、該回転方向上流側の基端部が軸によって揺動可能に支持された加圧支持部材と、
一端部が前記加圧支持部材の前記自由端部に取り付けられ、他端部が前記一端部と該他端部との間の下方近傍に設けられた支点軸を中心として前記一端部と反対側に位置する付勢部材と、
前記付勢部材の前記他端部に係合可能なカムと、
を備えていることを特徴とするシート搬送装置。
【請求項５】
請求項１ないし３の何れか一つに記載のシート搬送装置において、
前記加圧解除手段は、前記駆動回転部材における回転方向下流側の自由端部が第１の従動回転部材を回転可能に支持し、該回転方向上流側の基端部が揺動可能に支持され、前記駆動回転部材の外周面とシートガイド用の隙間をもって構成された加圧支持部材を備え、
前記接離手段は、前記回転方向上流側の自由端部が第２の従動回転部材を回転可能に支持し、前記回転方向下流側の基端部が揺動可能に支持され、前記駆動回転部材の外周面と前記シートガイド用の隙間をもって構成された可動支持部材を備え、
前記加圧支持部材および前記可動支持部材は、シートの搬送ガイドを兼ねていることを特徴とするシート搬送装置。
【請求項６】
シート搬送方向を変更する部位に配置され、シートを搬送する駆動回転部材および該駆動回転部材に接離可能な第１の従動回転部材からなる一対の回転部材を具備するシート搬送装置において、
前記駆動回転部材に対する第１の従動回転部材の加圧および解除を行う加圧解除手段と、
第１の従動回転部材よりも前記駆動回転部材の回転方向の上流側で前記駆動回転部材に転動可能に設けられ、搬送されてくるシートの先端を前記駆動回転部材に案内する第３の従動回転部材と、
シート種類およびシート搬送速度条件の少なくとも何れか一方の条件によって、前記駆動回転部材の軸中心および該駆動回転部材に接した第１の従動回転部材の軸中心を結ぶ線分と、前記駆動回転部材の軸中心および第３の従動回転部材の軸中心を結ぶ線分とのなす巻き付け角を変える巻き付け角可変手段と、
を有することを特徴とするシート搬送装置。
【請求項７】
請求項１ないし６の何れか一つに記載のシート搬送装置を有することを特徴とする画像形成装置。
【発明の詳細な説明】
【技術分野】
【０００１】
本発明は、インクジェット記録装置、複写機、プリンタ、ファクシミリ、プロッタまたはそれら複数の機能を組み合わせた複合機等の画像形成装置に用いられるシート搬送装置、詳しくは、シートロール（ロール紙）から繰り出される長尺のシート、または手差しなどで給送されるカットシートを搬送するシート搬送装置およびこれを有する画像形成装置に関する。
【背景技術】
【０００２】
シートの搬送方向を切り換える搬送方向切換機構を備えたシート搬送装置が知られている（例えば、特許文献１参照）。ちなみに、特許文献１の図１、図３には、搬送路（４１）を搬送されるシート材（Ｐ）の搬送方向を搬送路切換部材（３４）により切り換える搬送方向切換機構（３０）と、搬送路（４１）を搬送されるシート材（Ｐ）を検知するセンサ（４３）とを備え、センサ（４３）を搬送路切換部材（３４）に取り付けて搬送路切換部材（３４）と一体で移動し、搬送路切換部材（３４）は搬送路（４１）を搬送されるシート材（Ｐ）が搬送路切換部材（３４）により導かれていく搬送ローラ（反転ローラ（３６））の回転中心を支点として回動可能に支持されていることを特徴とするシート搬送装置が開示されている。
【０００３】
また、記録部材としてフィルム状のシートを搬送する場合の加圧力を調整する加圧力調整機構を備えた画像記録装置が知られている（例えば、特許文献２参照）。ちなみに、特許文献２の図４、図５には、押えローラ（４３）でグリッドローラ（４１）の湾曲を抑制するため、記録部材（ＣＴＣフィルム６）に加える幅方向の圧接力分布を均一にすると共に、記録部材（ＣＴＣフィルム６）に加える幅方向に一定の搬送力を与えることが可能であり、これにより記録部材（ＣＴＣフィルム６）の送り量を常に一定にすることが可能な加圧調整機構が開示されている。
【０００４】
特許文献１および２の従来技術を含め、画像形成装置に配設される一般的なシート搬送装置では、画像形成装置のレイアウト上の種々の制約あるいは都合等からシート搬送方向を変えて搬送する場合が多く、このようなシート搬送方向の変更部位に、駆動ローラとこれに従動する従動ローラとで構成されるローラ対（例えばレジストローラや反転ローラ等）を配置している。
【０００５】
駆動ローラのガイドターン部（シートが巻き付けられる駆動ローラの外周部分を指す）でのシートの搬送ジャムや搬送遅れを防止してシート搬送方向下流側の目的とする所定の部位にシートを確実に搬送すべく、ローラ対でのシート搬送性を向上するには、シート搬送力を上げることが必要であり、そのシート搬送力を上げるには駆動ローラに対する従動ローラの加圧力を増加させる他に、駆動ローラに対するシートの巻き付け角を増やすことが効果的であることが分かっている。
【０００６】
図１２を参照して、駆動ローラのガイドターン部におけるシートの巻き付け角について説明する。同図は、搬送されてくるシートとしての用紙Ｐのシート搬送方向を変える部位に配置された駆動ローラ１０４とこれに従動する従動ローラ１０５とで構成されるレジストローラ等のローラ対１０４，１０５を示す。従動ローラ１０５は、駆動ローラ１０４に対して接離可能に構成されている。図１２（ａ）、図１２（ｂ）は、共に、従動ローラ１０５が駆動ローラ１０４に略鉛直下方向に加圧している状態において、図中矢印方向に回転する駆動ローラ１０４のガイドターン部の外側近傍に設けられたガイド部材１０６、１０７によって用紙Ｐが案内されながら、ローラ対１０４，１０５のニップ部（挟持部）から略水平方向のシート搬送方向Ｘに搬送される状態を示している。
図１２（ａ）、図１２（ｂ）において、駆動ローラ１０４の軸中心および該駆動ローラ１０４に接した従動ローラ１０５の軸中心を結ぶ線分と、ガイド部材１０６，１０７の案内によって用紙Ｐが最初に駆動ローラ１０４の外周面に接触する接線に対して駆動ローラ１０４の軸中心から下ろした垂線とのなす角を巻き付け角θという。
【発明の概要】
【発明が解決しようとする課題】
【０００７】
図１２（ａ）に示すように、巻き付け角θを大となるようにすると、駆動ローラ１０４のガイドターン部と用紙Ｐの先端部との接する量が大きくなり、これにより用紙Ｐに対する負荷・抵抗が大きくなってしまうことで、用紙Ｐが座屈してローラ対１０４，１０５のニップ部に対するシート進入性が悪くなる。
一方、図１２（ｂ）に示すように、巻き付け角θを小となるようにすると、駆動ローラ１０４のガイドターン部と用紙Ｐの先端部との接する量が小さくなり、これにより用紙Ｐに対する負荷・抵抗が小さくなることで、ローラ対１０４，１０５のニップ部までスムーズに搬送され、ローラ対１０４，１０５のニップ部に対するシート進入性が向上する。
【０００８】
このように、ローラ対１０４，１０５のニップ部に対するシート進入性を向上するには、ローラ対１０４，１０５のニップ部に対する用紙Ｐの先端部の進入角を下げるか、すなわち巻き付け角θを小さく設定するか、または駆動ローラ１０４近傍におけるガイドターン部突入前に駆動ローラ１０４に従動回転する別の搬送ローラを配置すると良くなることも既に知られている（例えば、特許文献３参照）。
【０００９】
上述したように、シート搬送性を良くしようとするとシート進入性が悪くなり、シート進入性を良くしようとするとシート搬送性が悪くなり、シート搬送性とシート進入性は相反する関係に成り立っているといえる。
特許文献１では搬送方向切換機構を、特許文献２では加圧調整機構をそれぞれの特徴としているが、上述したとおり、シート搬送性とシート進入性とを共に満足する機構にはなっておらず、またそれを目的としたり示唆したりする旨の記載もない。
【００１０】
そこで、本発明は、上述した事情に鑑みてなされたものであり、シート搬送方向の変更部位に配置される駆動回転部材（駆動ローラ）と従動回転部材（従動ローラ）とによるシート搬送性、およびシート進入性を共に満足する機構を提供すると共に、さらに複数方向から搬送されるシートにも対応可能なシート搬送装置および画像形成装置を実現し提供することを主な目的とする。
【課題を解決するための手段】
【００１１】
上述した課題を解決すると共に上述した目的を達成するために、請求項ごとの発明では、以下のような特徴ある手段・発明特定事項（以下、「構成」という）を採っている。
請求項１記載の発明は、シート搬送方向を変更する部位に配置され、シートを搬送する駆動回転部材および該駆動回転部材に接離可能な第１の従動回転部材からなる一対の回転部材を備えたシート搬送装置において、前記駆動回転部材に対する第１の従動回転部材の加圧および解除を行う加圧解除手段と、第１の従動回転部材よりも前記駆動回転部材の回転方向の上流側で前記駆動回転部材に接離可能に設けられた第２の従動回転部材であって、第２の従動回転部材の搬送方向上流から搬送されてくるシートの先端を前記駆動回転部材に案内する第２の従動回転部材と、第２の従動回転部材を前記駆動回転部材に接離する接離手段と、前記駆動回転部材と第２の従動回転部材との間にシートを案内・進入させるシート進入時には、前記接離手段をして第２の従動回転部材を前記駆動回転部材に接触させると共に前記加圧解除手段をして前記加圧の解除を行わせ、前記駆動回転部材と第１の従動回転部材とによるシート搬送時には、前記接離手段をして第２の従動回転部材を前記駆動回転部材から離間させると共に前記加圧解除手段をして前記加圧を行うように、前記接離手段および前記加圧解除手段の作動を切り換える切換手段とを有することを特徴とする。
【００１２】
請求項２記載の発明は、請求項１記載のシート搬送装置において、第２の従動回転部材が前記駆動回転部材から離間して第１の離間位置を占めたとき、第２の従動回転部材の下端と、前記駆動回転部材および第１の従動回転部材の挟持部とを通る直線が略水平状態になるように構成されており、前記略水平状態となる第１の離間位置を占めた第２の従動回転部材の前記下端に接触可能なシートガイド面を備えた可動部材を有し、上方向からのシート搬送および手差しシート搬送にも対応可能であることを特徴とする。
【００１３】
請求項３記載の発明は、請求項２記載のシート搬送装置において、前記可動部材は、前記シートガイド面の一端部が前記略水平状態から下方に揺動可能に支持されており、前記切換手段は、第１の離間位置を占めた第２の従動回転部材の前記下端と前記可動部材の前記一端部側のシートガイド面との挟持部に、上方向からのシートの先端を進入させた後、前記接離手段をして第２の従動回転部材を第１の位置よりも下方の第２の位置を占めさせるように、前記接離手段の作動を切り換えると同時に、前記可動部材が前記下方に揺動することにより、上方向からのシート搬送時においても前記駆動回転部材の外周面にシートを巻き付けてのシート搬送が可能であることを特徴とする。
【００１４】
請求項４記載の発明は、請求項１ないし３の何れか一つに記載のシート搬送装置において、前記加圧解除手段は、前記駆動回転部材における回転方向下流側の自由端部が第１の従動回転部材を回転可能に支持し、該回転方向上流側の基端部が軸によって揺動可能に支持された加圧支持部材と、一端部が前記加圧支持部材の前記自由端部に取り付けられ、他端部が前記一端部と該他端部との間の下方近傍に設けられた支点軸を中心として前記一端部と反対側に位置する付勢部材と、前記付勢部材の前記他端部に係合可能なカムとを備えていることを特徴とする。
【００１５】
請求項５記載の発明は、請求項１ないし３の何れか一つに記載のシート搬送装置において、前記加圧解除手段は、前記駆動回転部材における回転方向下流側の自由端部が第１の従動回転部材を回転可能に支持し、該回転方向上流側の基端部が揺動可能に支持され、前記駆動回転部材の外周面とシートガイド用の隙間をもって構成された加圧支持部材を備え、前記接離手段は、前記回転方向上流側の自由端部が第２の従動回転部材を回転可能に支持し、前記回転方向下流側の基端部が揺動可能に支持され、前記駆動回転部材の外周面と前記シートガイド用の隙間をもって構成された可動支持部材を備え、前記加圧支持部材および前記可動支持部材は、シートの搬送ガイドを兼ねていることを特徴とする。
【００１６】
請求項６記載の発明は、シート搬送方向を変更する部位に配置され、シートを搬送する駆動回転部材および該駆動回転部材に接離可能な第１の従動回転部材からなる一対の回転部材を具備するシート搬送装置において、前記駆動回転部材に対する第１の従動回転部材の加圧および解除を行う加圧解除手段と、第１の従動回転部材よりも前記駆動回転部材の回転方向の上流側で前記駆動回転部材に転動可能に設けられ、搬送されてくるシートの先端を前記駆動回転部材に案内する第３の従動回転部材と、シート種類およびシート搬送速度条件の少なくとも何れか一方の条件によって、前記駆動回転部材の軸中心および該駆動回転部材に接した第１の従動回転部材の軸中心を結ぶ線分と、前記駆動回転部材の軸中心および第３の従動回転部材の軸中心を結ぶ線分とのなす巻き付け角を変える巻き付け角可変手段とを有することを特徴とする。
【００１７】
請求項７記載の発明は、請求項１ないし６の何れか一つに記載のシート搬送装置を有することを特徴とする画像形成装置である。
【発明の効果】
【００１８】
本発明によれば、前記課題を解決して新規なシート搬送装置および画像形成装置を実現し提供することができる。主な請求項ごとの効果を挙げれば次のとおりである。
請求項１、４記載の発明によれば、前記構成により、シート搬送性およびシート進入性の双方を向上することができると共に、少なくとも下方向から搬送されてくるシート搬送が可能となるシート搬送装置を実現し提供することができる。
【００１９】
請求項２記載の発明によれば、前記構成により、上方向からのシート搬送および手差しシート搬送も可能となるシート搬送装置を実現し提供することができる。
請求項３記載の発明によれば、前記構成により、上方向からのシート搬送に対してもシート搬送性を向上することができる。
【００２０】
請求項５記載の発明によれば、加圧支持部材および可動支持部材は、シートの搬送ガイドを兼ねていることにより、さらにシート進入性を向上することができる。
請求項６記載の発明によれば、前記構成により、シート種類およびシート搬送速度条件の少なくとも何れか一方の条件によって、さらにシート搬送性を向上することができる。
【００２１】
請求項７記載の発明によれば、請求項１ないし６の何れか一つに記載のシート搬送装置による効果を奏する画像形成装置を実現し提供することができる。
【図面の簡単な説明】
【００２２】
【図１】本発明の第１の実施形態を示すインクジェット記録装置、各給紙部の要部の簡略的な正断面図である。
【図２】ロール下給紙部から搬送された用紙のレジストローラ進入時の加圧機構および動作を示す簡略的な正断面図である。
【図３】図２の加圧機構を構成する加圧ユニットの外観斜視図である。
【図４】第１の実施形態の切換手段の簡略的な正面図である。
【図５】ロール下給紙部から搬送された用紙のレジストローラ搬送時の加圧機構および動作を示す簡略的な正断面図である。
【図６】図５の加圧機構を構成する加圧ユニット要部の外観斜視図である。
【図７】ロール上給紙部から搬送された用紙、手差し給紙部からのレジストローラ搬送時の加圧機構および動作を示す簡略的な正断面図である。
【図８】ロール上給紙部から搬送された用紙のレジストローラ巻き付け搬送時の加圧機構および動作を示す簡略的な正断面図である。
【図９】図８の加圧機構を構成する加圧ユニットの外観斜視図である。
【図１０】第２の実施形態におけるレジストローラ巻き付け搬送時の加圧機構を示す簡略的な正断面図である。
【図１１】図１０におけるレジストローラ巻き付け搬送時の加圧機構による動作を示す簡略的な正断面図である。
【図１２】（ａ）、（ｂ）は、従来装置の問題点を説明する図であって、駆動ローラのガイドターン部におけるシートの巻き付け角の大小によるシート進入性の良否を説明する説明図である。
【発明を実施するための形態】
【００２３】
以下、図を参照して実施例を含む本発明の実施形態を詳細に説明する。各実施形態等に亘り、同一の機能および形状等を有する構成要素（部材や構成部品）等については、混同の虞がない限り一度説明した後では同一符号を付すことによりその説明を省略する。図および説明の簡明化を図るため、図に表されるべき構成要素であっても、その図において特別に説明する必要がない構成要素は適宜断わりなく省略することがある。上述した背景技術を含め、公開特許公報等の構成要素を引用して説明する場合は、その符号に括弧を付して示し、各実施形態等のそれと区別するものとする。
【００２４】
（第１の実施形態）
図１〜図９を参照して、本発明の第１の実施形態を説明する。まず、図１を参照して、第１の実施形態に係るシート搬送装置を備えた画像形成装置の一例としてのインクジェット記録装置（以下、単に「記録装置」ともいう）について、全体構成と共に要部動作を説明する。図１は同記録装置の要部の構成を示す簡略的な断面図である。
【００２５】
図１に示すインクジェット記録装置は、例えばシリアル型インクジェット記録装置である。図１において、同記録装置の図示しない装置本体の内部には、画像形成部としてのキャリッジ１、吸引ステー２、カッタ３、ロール下給紙搬送装置（以下、「ロール下給紙部」という）５０、ロール上給紙搬送装置（以下、「ロール上給紙部」という）６０、手差し給紙部７０などが配置されている。
【００２６】
ロール下給紙部５０は、装置本体（図示せず）の下部に配置され、長尺のシートが巻回されてなるシートロールとしてのロール紙８Ａからシートとしての用紙Ｐが繰り出され、下方向からキャリッジ１に向けてシート搬送が行われるシート搬送装置である。ロール下給紙部５０は、レジストローラ４、加圧ローラ５、進入コロ１１、中継コロ６、給紙ローラ７、ロール紙８Ａのロール紙収納部（図示せず）から主に構成されている。
【００２７】
ロール上給紙部６０は、装置本体（図示せず）の上部に配置されたシートロールとしてのロール紙８Ｂから用紙Ｐが繰り出され、上方向からキャリッジ１に向けてシート搬送が行われるシート搬送装置である。ロール上給紙部６０は、レジストローラ４、加圧ローラ５、進入コロ１１、分岐ガイド１５、中継コロ６、給紙ローラ７、ロール紙８Ｂのロール紙収納部（図示せず）から主に構成されている。
【００２８】
手差し給紙部７０は、略水平に配置された手差しトレイ２１から、使用者のマニュアル操作でカットシートとしての用紙Ｐｃをキャリッジ１に向けて搬送するシート搬送装置である。手差し給紙部７０は、レジストローラ４、加圧ローラ５、進入コロ１１、分岐ガイド１５、手差しトレイ２１から主に構成されている。
【００２９】
このように、本実施形態では下方向からのシート搬送のみならず、上方向からのシート搬送および手差し搬送も可能に構成されている。各給紙部に亘る共通の構成、すなわち、レジストローラ４、加圧ローラ５、進入コロ１１、分岐ガイド１５周りの特徴的な細部構成については、後述する。
【００３０】
図１における上下方向に直交する方向（以下、「副走査方向」ともいう）Ｘにおいて、上下方向および副走査方向Ｘに直交すると共に図１の紙面を貫通する方向が主走査方向であり、シート幅方向に相当する。
【００３１】
キャリッジ１は、ロール下給紙部５０、ロール上給紙部６０および手差し給紙部７０の何れか１つの給紙部から搬送されてくる長尺の用紙Ｐまたは用紙Ｐｃに画像形成を行う機能・構成を有する。キャリッジ１は、図示しない保持部材等によって図１の紙面を貫通する主走査方向に摺動可能に保持されている。キャリッジ１には、ブラック（Ｋ）、イエロー（Ｙ）、マゼンタ（Ｍ）、シアン（Ｃ）の各色のインク滴を吐出する液体記録ヘッド（図示せず、以下、単に「記録ヘッド」という）が搭載されている。液体記録ヘッドからの液滴の吐出方向は下方向としている。
【００３２】
ロール紙８Ａ，８Ｂの上記ロール紙収納部は、同様の構成であるため、ロール紙８Ａの上記ロール紙収納部を代表して説明する。ロール紙８Ａから用紙Ｐを繰り出し可能にロール紙８Ａを支持・収納する機能・構成を有する。ロール紙８Ａは、長尺シートとしての用紙Ｐが、紙管等の芯管８ａに巻き付けられて形成されている。ロール紙８Ａから用紙Ｐを繰り出し可能にロール紙８Ａを支持する構成は、ロール紙８Ａの芯管８ａの両側にフランジ部材を装着したものをフランジ受け台（図示せず）で支持するフランジ方式や、金属製のスプールをロール紙８Ａの芯管８ａに差込・装着固定したスプールの両端部を軸受で支持するスプール方式等の公知の何れも採用可能である。
【００３３】
上述した構成を有する記録装置全体の動作について、先ず、主としてロール下給紙部５０から用紙Ｐを搬送する場合を説明する。図１に示すように、ロール下給紙部５０では、ロール紙８Ａから用紙Ｐが繰り出し可能にセットされ、また同図に示すシート給送手段としての給紙ローラ７からはロール紙８Ａの用紙Ｐの先端が給紙可能状態にセットされているものとする。
ユーザによって、図示しない操作部のキー操作などが行われることで、各種の画像形成条件、例えばロール下給紙部５０、ロール上給紙部６０からのロール紙８Ａ，８Ｂまたは手差し給紙部７０の用紙Ｐｃの選択（サイズや厚さ等の紙種を含む）や、カラー色の選択、画像形成枚数などが設定される。これらの信号が記録装置の制御手段としての制御部（図示せず）に入力されると、記録装置が作動する。すなわち、記録装置に通信可能に接続されたパソコン等のコンピュータあるいは、図示しない画像読取装置（スキャナ）から画像信号が送信される。
【００３４】
前記キー操作により、図示しないモータの駆動を介して一対の給紙ローラ７が図中矢印方向に回転されることで、上記ロール紙収納部に支持されたロール紙８Ａから用紙Ｐが給送される。給紙ローラ７から給送された用紙Ｐは、図中右側の水平搬送路を形成するガイド部材としての一対のガイド板４０に案内されながら搬送され、シート搬送方向の変更部位に配置された従動回転部材である中継コロ６を経由した後、図中右側の上下方向に延びた縦搬送路のガイド板４０に案内されつつ搬送され、シート搬送方向の変更部位に配置されたレジスト手段としてのレジストローラ４およびこれに従動回転する進入コロ１１により案内・搬送されながら、レジストローラ４に従動回転する加圧ローラ５によって水平のシート搬送方向Ｘに搬送される。
【００３５】
レジストローラ４および加圧ローラ５によって搬送された用紙は、キャリッジ１における画像形成領域としてのインクジェット記録領域へ搬送される。すると、図１において、キャリッジ１が上記主走査方向に移動すると共に、図示しない送り機構によって用紙がシート搬送方向Ｘに間欠的に送られながら、液体記録ヘッドが画像情報に応じて駆動されて液滴を吐出することによって、用紙上に所要の画像が印字・形成される。印字中はガイド部材としての水平方向に延びたガイド板４１に案内されつつ吸引ステー２で吸引される。印字された用紙はカッタ３で所定の長さに切断された後、排紙される。切断後の未印字部の用紙の先端は、レジストローラ４および給紙ローラ７の逆転駆動によって、次の印字開始位置まで巻き戻される。
【００３６】
図２〜図９を参照して、レジストローラ用紙進入時・レジストローラ用紙搬送時の各加圧機構を構成する、レジストローラ４、加圧ローラ５、進入コロ１１、加圧解除手段２５、接離手段２７、切換手段３０、分岐ガイド１５周りの細部構成を説明する。
図２において、レジストローラ４は、用紙を搬送する駆動回転部材として機能し、加圧ローラ５は、レジストローラ４に後述するように接離可能に構成されており、接している状態で従動回転することによりレジストローラ４と共に用紙を搬送する第１の従動回転部材として機能する。これらローラ対４，５は、一対の回転部材として機能する。
【００３７】
ローラ対４，５は、例えば用紙Ｐを中央基準で搬送するよう構成されている。ローラ対４，５は、図３に示す加圧ユニット２３に対応してその軸方向に複数に分割して配設されている。ちなみに、加圧ローラ５は、図３に示す１つの加圧ユニット２３の加圧スプリング９に対応して、その軸方向に複数（例えば２個）に分割されており、レジストローラ４は、加圧ローラ５と対向する位置に設けられ、その軸方向に複数（例えば２個）に分割されている。
【００３８】
加圧解除手段２５は、レジストローラ４に対する加圧ローラ５の加圧および解除を行う加圧解除機構であり、加圧スプリング９、加圧アーム１０および可変カム１４を備えている。
【００３９】
加圧アーム１０は、レジストローラ４における図２中矢印で示す回転方向下流側の自由端部が加圧ローラ５の軸５ａの両端部を回転可能に支持し、該回転方向上流側の基端部が軸３１によって揺動可能に支持された加圧支持部材として機能する。
【００４０】
加圧アーム１０の軸３１は、本記録装置に使用される用紙の幅よりも長くシート幅方向に延びていて、その両端部（図２における紙面の手前側および奥側を指す）が図示しない装置本体に配設された側板対（図２における紙面の手前側および奥側に平行に設けられている）に固設されている。加圧アーム１０は、加圧ローラ５をレジストローラ４上に保持する機能も有し、分割された２個の加圧ローラ５に対応して１つ設けられている。
加圧アーム１０の図において下面壁は、加圧ローラ５がレジストローラ４の外周面に圧接した加圧位置を占めているとき、レジストローラ４の外周面とシートガイド用の所定の隙間を保持するようにレジストローラ４の外周面に倣って湾曲して形成されている。これにより、加圧アーム１０は、シートの搬送ガイド部材を兼ねている。
【００４１】
加圧アーム１０は、上記したように加圧ローラ５の軸５ａの両端部および加圧スプリング９、用紙等と摺接するために、摺動性に優れていて強度が高く耐久性のある、例えばポリアセタール樹脂（ＰＯＭ）材などのエンジニアリングプラスチックが用いられて一体的に形成され、軽量化も図られている。
【００４２】
加圧アーム１０の軸３１には、一端が加圧アーム１０の一側壁に他端が上記側板対の一方に係止された図示しない捩じりコイルスプリングが巻着されている。この図示しない捩じりコイルスプリングにより、加圧アーム１０に支持された加圧ローラ５はレジストローラ４から離間・脱圧した図２に示す離間位置を占めるように常に付勢されている。加圧アーム１０を介して加圧ローラ５を離間位置に保持する上記捩じりコイルスプリングの付勢力は、加圧アーム１０を介して加圧ローラ５を加圧するときの加圧スプリング９による付勢力よりも小さく設定されることは無論である。なお、捩じりコイルスプリングに代えて、加圧ローラ５を支持している加圧アーム１０の自由端部を図示しない引張スプリングで吊り上げることで離間位置を占めるように付勢してもよい。
【００４３】
加圧スプリング９は、一端部が加圧アーム１０の前記自由端部に取り付けられ、他端部が前記一端部と該他端部との間の下方近傍に設けられた支点軸２６を中心として前記一端部と反対側に位置するように延びて形成された付勢部材として機能する。
【００４４】
加圧スプリング９は、個々の加圧ローラ５および加圧アーム１０に対応して設けられている。加圧スプリング９は、一端が加圧アーム１０の前記自由端部に揺動可能に取り付けられ、他端部側が支点軸２６の下側を通ってシート搬送方向Ｘ上流側に延び、支点軸２６を中心にして一端と反対側に位置するように設定され取り付けられている。加圧スプリング９は、例えばバネ鋼からなる線状の線バネが用いられ、他端部側が平面視で「コ」の字形状に折り曲げられて形成されている。
加圧スプリング９は、個々の加圧ローラ５に対応してバネ定数および形状が同じものを共通して用いていて共通化が図られているので、加圧スプリング９の部品点数削減と共に、その取り付け時に誤って異なるものを装着セットするなどのミス・不具合発生を未然に防止している。
【００４５】
支点軸２６は、その両端部（図２における紙面の手前側および奥側を指す）が上記図示しない側板対に固設されていて、図２に示す位置状態の加圧スプリング９の上方近傍に設けられている。支点軸２６は、例えば鋼材やステンレススチール等の金属で形成されている。可変カム１４は、説明の都合上から切換手段３０でまとめて説明する。
【００４６】
進入コロ１１は、ロール下給紙部５０において、加圧ローラ５よりもレジストローラ４の回転方向の上流側でレジストローラ４に接離可能に設けられ、下方から搬送されてくる用紙Ｐの先端をレジストローラ４の外周面に案内する機能を有する。
【００４７】
接離手段２７は、進入コロ１１をレジストローラ４に接離する接離機構であり、可動アーム１２、スプリング１３、可変カム１４を備えている。
可動アーム１２は、レジストローラ４の回転方向上流側の自由端部が進入コロ１１の軸１１ａの両端部を回転可能に支持し、レジストローラ４の回転方向下流側の基端部が軸３１により同軸的に揺動可能に支持され、レジストローラ４の外周面とシートガイド用の隙間をもって構成された可動支持部材として機能する。可動アーム１２の図において下面壁は、進入コロ１１がレジストローラ４の外周面に当接した当接位置を占めているとき、レジストローラ４の外周面とシートガイド用の所定の隙間を保持するようにレジストローラ４の外周面に倣って湾曲して形成されている。これにより、可動アーム１２は、シートの搬送ガイド部材を兼ねている。可動アーム１２は、例えばポリアセタール樹脂（ＰＯＭ）材などのエンジニアリングプラスチックが用いられて一体的に形成され、軽量化が図られている。
【００４８】
加圧アーム１０の基端部と可動アーム１２の基端部とは、共通の軸３１に揺動可能に支持され、互いに干渉しないように図示しない適切な隙間を保持して軸３１方向（シート幅方向）に延在している。加圧アーム１０、可動アーム１２は、それぞれの加圧ユニットを構成している。
【００４９】
スプリング１３は、引張バネからなり、図３に示すように、各一端がレジストローラ４の外周部に沿った可動アーム１２の略中央の両側壁に、各他端が上記図示しない側板対に固着された不動部材８０にそれぞれ係止されている。これらのスプリング１３により、可動アーム１２の自由端部は、進入コロ１１がレジストローラ４の外周面から離間する向きに常に付勢されている。
【００５０】
切換手段３０は、加圧解除手段２５と接離手段２７との作動を切り換える切換機構であり、レジストローラ４と進入コロ１１との間にシートを案内・進入させるシート進入時には、接離手段２７をして進入コロ１１をレジストローラ４に接触させると共に加圧解除手段２５をして加圧解除を行わせ、レジストローラ４と加圧ローラ５とによる用紙（シート）搬送時には、接離手段２７をして進入コロ１１をレジストローラ４から離間させると共に加圧解除手段２５をして加圧を行うように、接離手段２７および加圧解除手段２５の作動を切り換える切換機構である。
【００５１】
図２および図４に示すように、切換手段３０は、切換部材としての可変カム１４と、切換部材駆動手段としての駆動モータ２４と、駆動力伝達手段としての駆動ギヤ１７および可変ギヤ１６とを備えている。
可変カム１４は、正面視で自動小銃形状をなす複数の係合部形状を備えたカムである。図２に示すように、可変カム１４の軸１４ａは、上下方向における加圧スプリング９と可動アーム１２との間に配置されている。図４に簡略的に示すように、可変カム１４の軸１４ａの端部には可変ギヤ１６が固着されている。可変ギヤ１６は、この可変ギヤ１６の近傍に設けられ駆動モータ２４の出力軸端部に固着された駆動ギヤ１７が噛み合っている。駆動モータ２４は、正逆転可能なモータであり、例えばパルス入力で駆動されるステッピングモータからなる。
【００５２】
可変カム１４には、可動アーム１２の上面と係合するアーム係合部１４ｂ，１４ｃ、１４ｅと、加圧スプリング９の他端部側と係合するスプリング係合部１４ｄ，１４ｆと、加圧スプリング９における他端部側コ字形状のカム軸１４ａ方向へのずれ止めの役目をする突起部１４ｇとが一体的に形成されている。
【００５３】
図１および図２において、１５は、可動部材としての分岐ガイドを示す。分岐ガイド１５は、図２に拡大して示すように、平坦なシートガイド面１５ｂを備え、上記図示しない側板対に、軸１５ａを介して揺動可能に支持されている。図２に簡略的に示すように、分岐ガイド１５の一端部（同図に示す左端部側）寄りの一側壁には、ソレノイド２２のプランジャが連結されている。ソレノイド２２は、プル型であり、上記側板対の一方に固設されている。
【００５４】
分岐ガイド１５の軸１５ａには、一端が分岐ガイド１５の一側壁に他端が上記側板対の一方に係止された図示しない捩じりコイルスプリングが巻着されている。この図示しない捩じりコイルスプリングにより、分岐ガイド１５の一端部（図１および図２の左端部）は左斜め下方の初期位置を占めるように常に付勢されていると共に、上記側板対の一方に設けられた図示しないストッパ部材によって上記初期位置に保持されるようになっている。
【００５５】
上記各構成要素を備えた各給紙部の動作は、制御手段としての図示しない制御部によって制御される。この制御部は、ＣＰＵ、各種駆動系を制御するために必要なプログラムを含む各処理プログラムおよび固定データを記憶・格納したＲＯＭ、処理データを格納するデータメモリであるＲＡＭ、計時手段としての内部タイマ、Ｉ／Ｏ（入・出力）ポート等を備えたマイクロコンピュータからなる。
【００５６】
上記ＣＰＵの入力ポートには、図示しない各種センサ類の他、各種トリガー信号等を出力する信号出力装置や操作部（図示せず）等が接続されている。上記ＣＰＵの出力ポートには、可変カム１４を回転駆動する駆動モータ２４、分岐ガイド１５を駆動するソレノイド２２等が接続されている。上記ＣＰＵは、図示しない各種センサ類、各種トリガー信号等に基づき、駆動モータ２４、ソレノイド２２等を制御する。
【００５７】
図２および図３を参照して、レジストローラ４への用紙進入時の動作を説明する。ロール下給紙部５０からの用紙Ｐの搬送時には、可変カム１４は図２および図３に示す位置を占めている。すなわち、図２および図３に示すように、可変カム１４のアーム係合部１４ｂがスプリング１３の付勢力に抗して可動アーム１２の上面と係合していることで、可動アーム１２の自由端部が軸３１を中心として時計回り方向に揺動し、進入コロ１１が図中太矢印で示すようにレジストローラ４を加圧している状態にある。このとき、加圧スプリング９の他端部側は自重によって可変カム１４のスプリング係合部１４ｄに当接しているだけであり、加圧ローラ５は上記図示しない捩じりコイルスプリングの付勢力により離間位置を占めていることにより、加圧ローラ５がレジストローラ４を加圧していない状態で用紙Ｐが進入コロ１１によって案内・搬送される。この際、用紙Ｐは大きな巻き付け角状態でレジストローラ４に巻き付けられて搬送されると共に、可動アーム１２および加圧アーム１０の下面とレジストローラ４の外周面との適正な所定の隙間にガイドされつつ、良好なシート進入性をもって搬送される。
【００５８】
次いで、用紙Ｐの先端がローラ対４，５のニップ部に到達するような所定のタイミングで、図５および図６に示すように、可変カム１４が反時計回り方向に回転し、アーム係合部１４ｃと可動アーム１２の上面とが係合することにより、可動アーム１２の自由端部がスプリング１３の付勢力によって軸３１を中心として反時計回り方向に揺動して進入コロ１１の下端が略水平状態に保持される。これにより、進入コロ１１がレジストローラ４から脱圧されて第１の離間位置を占め、これと同時に可変カム１４のスプリング係合部１４ｄと加圧スプリング９の他端部との係合が進むにつれて、加圧スプリング９の他端部が支点軸２６を支点として上方に撓み始める。加圧スプリング９の他端部が上方に撓むにつれて、加圧アーム１０の自由端部に取り付けられた加圧ローラ５は加圧スプリング９の付勢力による反力を受けて下方向に下がろうとする。これにより、加圧ローラ５が図中太矢印で示すようにレジストローラ４に押し付けられことで加圧され、用紙Ｐはレジストローラ４と加圧ローラ５とによって搬送される。
進入コロ１１をレジストローラ４から脱圧し搬送する理由は、進入コロ１１と加圧ローラ５とを共に加圧して搬送すると、進入コロ１１と加圧ローラ５との間で用紙Ｐにシワが発生してしまう虞があるためであり、進入コロ１１を脱圧し搬送する構成を取っている。
【００５９】
図１および図７を参照して、ロール上給紙部６０、手差し給紙部７０からの用紙Ｐ，Ｐｃの搬送動作を説明する。ロール上給紙部６０から用紙Ｐを搬送する場合の動作は、上述したロール下給紙部５０から用紙Ｐを搬送する場合の動作と略同様であり、「ロール紙８Ａ」に代えて「ロール紙８Ｂ」と、「ガイド板４０」に代えてガイド部材としての「ガイド板４２」と、それぞれ読み替えれば容易に理解し実施できるからその説明を省略する。
【００６０】
図７を参照して、ロール上給紙部６０、手差し給紙部７０からの用紙Ｐ，Ｐｃのレジストローラ４への用紙進入時の動作を説明する。ユーザによって、図示しない操作部のキー操作などが行われることで、ロール上給紙部６０のロール紙８Ｂからの用紙搬送動作が選択設定されると、上記図示しない制御部からの指令により、図５および図６に示したと同様の状態となる。すなわち、図７に示すように、可変カム１４のアーム係合部１４ｃと可動アーム１２の上面とが係合することにより、可動アーム１２の自由端部がスプリング１３の付勢力によって軸３１を中心として反時計回り方向に揺動して進入コロ１１の下端が略水平状態に保持されるとともに、可変カム１４のスプリング係合部１４ｄと加圧スプリング９の他端部との係合によって、加圧ローラ５が図中太矢印で示すようにレジストローラ４に加圧された状態となる。
【００６１】
次いで、分岐ガイド１５に連結されたソレノイド２２が上記図示しない捩りコイルスプリングの付勢力に抗して駆動されることにより、進入コロ１１の下端と分岐ガイド１５のシートガイド面１５ｂとが接触することで、進入コロ１１の下端とローラ対４，５のニップ部（挟持部）とを通る直線が略水平状態になる。これにより、ロール上給紙部６０、手差し給紙部７０からの用紙Ｐ，Ｐｃの水平搬送が可能となる。
【００６２】
手差し給紙部７０からの用紙Ｐｃの搬送動作は、図７に示したように、進入コロ１１の下端とローラ対４，５のニップ部とを通る直線が略水平になった状態において、進入コロ１１と分岐ガイド１５のシートガイド面１５ｂとのニップ部、ローラ対４，５のニップ部へ用紙Ｐｃを差し込むことでなされる。
【００６３】
図８および図９を参照して、ロール上給紙部６０からの用紙Ｐのレジストローラ４による巻き付け搬送時の動作を説明する。上記図示しない制御部からの指令により、図７に示した状態から図８および図９に示す状態に変わる。すなわち、可変カム１４が図７に示した状態からさらに反時計回り方向に回転することにより、可変カム１４のアーム係合部１４ｅと可動アーム１２の自由端部上面とがスプリング１３の付勢力に抗して係合することによって、可動アーム１２の自由端部が軸３１を中心として図中矢印で示す時計回り方向に揺動し、進入コロ１１が水平状態（第１の離間位置）からレジストローラ４に近づく下方の第２の位置を占めることとなる。これにより、進入コロ１１が中継コロの役目を果たすようになる。上記した接離手段２７の作動の切り換えと同時に、ソレノイド２２への通電がオフされ、上記図示しない捩りコイルスプリングの付勢力により分岐ガイド１５の一端部が軸１５ａを中心として図中矢印で示す反時計回り方向に揺動し、下方の初期位置を占めることで搬送パスが確保される。
上記各動作と同時に、可変カム１４のスプリング係合部１４ｆと加圧スプリング９の他端部との係合によって、加圧アーム１０の自由端部が軸３１を中心として反時計回り方向に回転し、加圧ローラ５が図中太矢印で示すようにレジストローラ４に加圧された状態となることによって、図７に示した状態よりも用紙Ｐは大きな巻き付け角をもってレジストローラ４に巻き付けられながら搬送されることとなる。
【００６４】
上述したとおり、本実施形態によれば、上記発明の効果の欄に記載した効果を奏することは無論である。
【００６５】
（第２の実施形態）
図１０および図１１を参照して、第２の実施形態を説明する。第２の実施形態は、図２等に示した第１の実施形態と比較して、加圧解除手段２５に代えて、加圧解除手段３５を用いる点、接離手段２７を除去した点、可動アーム１２に代えて、ガイド部材３２を用いる点、進入コロ１１に代えて、進入コロ３３を用いる点、および巻き付け角可変手段２８を新たに付加した点が主に相違する。
【００６６】
加圧解除手段３５は、レジストローラ４に対する加圧ローラ５の加圧および解除を行う加圧解除機構であり、図２の加圧解除手段２５と比較して、可変カム１４に代えて、単純なカム３４を用いる点が主に相違する。この相違点以外の加圧解除手段３５の構成は、図２の加圧解除手段２５と同様である。
【００６７】
カム３４は、カム軸３４ａに連結された図示しない駆動モータによって回転駆動される。
ガイド部材３２は、シート幅方向に延び、紙面の手前側および奥側の両端部が上記側板対に固着されている。ガイド部材３２は、必要最低限の巻き付け角を確保するため、レジストローラ４の外周面とシートガイド用の隙間をもって配置されている。
【００６８】
進入コロ３３は、加圧ローラ５よりもレジストローラ４の回転方向の上流側でレジストローラ４に転動可能に設けられ、搬送されてくる用紙Ｐの先端をレジストローラ４に案内する第３の従動回転部材として機能する。
レジストローラ４の軸４ａの両端部には、巻き付けアーム１８の基端部が所定角度の範囲で回動自在に支持されている。各巻き付けアーム１８の自由端部は、進入コロ３３の軸３３ａを回動可能に支持している。
【００６９】
巻き付け角可変手段２８は、駆動力伝達手段としてのアームギヤ１８Ａ、大径ギヤ１９、駆動ギヤ２０、および駆動手段としての駆動モータ３６から主に構成されている。巻き付けアーム１８の基端部の一方（紙面手前側）には、アームギヤ１８Ａが固着されている。レジストローラ４近傍の上記図示しない側板対の一方には、出力軸に駆動ギヤ２０を固着された正逆転可能な駆動モータ３６が固設されている。駆動モータ３６とレジストローラ４の軸４ａとの間には、アームギヤ１８Ａと噛み合うと共に駆動ギヤ２０とも噛み合う大径ギヤ１９が上記図示しない側板対の一方に軸支されている。
【００７０】
巻き付け角可変手段２８は、用紙の厚さ、スリップのし易さ等の表面性状・材質等を含むシート種類（用紙種類）およびシート搬送速度条件の少なくとも何れか一方の条件によって、レジストローラ４の軸中心および該レジストローラ４に接した加圧ローラ５の軸中心を結ぶ線分と、レジストローラ４の軸中心および進入コロ３３の軸中心を結ぶ線分とのなす巻き付け角を変える機能をする。巻き付け角可変手段２８の駆動モータ３６は、第１の実施形態と同様構成のマイクロコンピュータを具備してなる制御部（制御手段）によってカム３４の駆動モータと共に制御される。
【００７１】
第２の実施形態の要部動作を説明する。図示しない操作部で用紙種類がスリップし易い、例えばコート紙や樹脂製のフィルムシートからなるロール紙が選択設定された場合や、シート搬送速度条件が早いモードの時は用紙がスリップし易い状態になるので、これを補償すべくシート種類（用紙種類）およびシート搬送速度条件の少なくとも何れか一方の条件に応じて、巻き付け角可変手段２８の駆動モータ３６が駆動制御される。
図１０から図１１に示すように、駆動モータ３６が図１１中矢印方向に回転駆動されると、上記駆動力伝達手段を介して巻き付けアーム１８に取り付けられた進入コロ３３がレジストローラ４の軸４ａを中心に用紙を巻き付ける図１１中矢印方向に移動し、レジストローラ４に対する用紙Ｐの巻き付け角を大きくし搬送力増加が図られる。
【００７２】
上述したとおり、本実施形態によれば、シート種類（用紙種類）およびシート搬送速度条件の少なくとも何れか一方の条件に応じて、レジストローラ４に対する用紙Ｐの巻き付け角を最適な角度に調整することができるから、シート搬送性に優れたシート搬送装置および記録装置を実現し提供することができる。
【００７３】
実施形態１等では下側にレジストローラ４（駆動回転部材）が、加圧ローラ５（従動回転部材）がレジストローラ４の上側に配置されているレイアウト構成であったが、これと反対の配置であるレジストローラ４が下側あるいは一側方に配置された場合に、加圧ローラ５が上側あるいは他側方に配置されるレイアウト構成の場合にも適用できることは無論である。
【００７４】
以上説明したとおり、本発明を特定の実施形態等について説明したが、本発明が開示する技術的範囲は、上述した実施形態等に例示されているものに限定されるものではなく、それらを適宜組み合わせて構成してもよく、本発明の範囲内において、その必要性および用途等に応じて種々の実施形態や変形例あるいは実施例を構成し得ることは当業者ならば明らかである。
例えば、加圧スプリング９は、線バネに限らず、板バネ等を用いてもよい。上記した構成部品や部材の材質は、それに限定されず、その機能をより良く発揮される公知の全てのものから選択できることは言うまでもない。また、キャリッジ１は、シリアル型インクジェット記録装置に限定されず、ライン型インクジェット記録装置や電子写真方式による画像形成装置等またはそれら複数の機能を組み合わせた複合機あるいや印刷装置でもよい。
レジストローラ４、ロール紙８Ａは、手差し搬送路を挟んで上方向に設けられるものでもよい。さらに、手差し搬送路は、水平に限らず、加圧ローラ５とレジストローラ４とのニップ部へ直接搬送されるものであればよい。
【符号の説明】
【００７５】
１    キャリッジ  （画像形成部）
２    吸引ステー
３    カッタ
４    レジストローラ  （駆動回転部材、一対の回転部材）
５    加圧ローラ      （第１の従動回転部材、一対の回転部材）
６    中継ローラ
７    給紙ローラ
８Ａ，８Ｂ    ロール紙  （シートロール）
９    加圧スプリング  （加圧解除手段、付勢部材）
１０  加圧アーム  （加圧支持部材、加圧解除手段、搬送ガイド）
１１  進入コロ    （第２の従動回転部材）
１２  可動アーム  （接離手段、可動支持部材、搬送ガイド）
１３  スプリング  （接離手段）
１４  可変カム    （加圧解除手段、接離手段、切換手段）
１４ａ  カム軸
１４ｂ，１４ｃ，１４ｅ  アーム係合部
１４ｄ，１４ｆ  スプリング係合部
１５  分岐ガイド  （可動部材）
２１  手差しトレイ
２４，３６  駆動モータ
２５，３５  加圧解除手段
２６  支点軸（加圧解除手段）
２７  接離手段
２８  巻き付け角可変手段
３０  切換手段
３１  軸
３３  進入コロ（第３の従動回転部材）
３４  カム（加圧解除手段）
５０  ロール下給紙部（シート搬送装置）
６０  ロール上給紙部（シート搬送装置）
７０  手差し給紙部
Ｘ      副走査方向・シート搬送方向
【先行技術文献】
【特許文献】
【００７６】
【特許文献１】特許第３９３５３１３号公報
【特許文献２】特許第３４９２４７０号公報
【特許文献３】特開平０７−０８９１６３号公報
【図１】
2011246257.tif 000003
【図２】
2011246257.tif 000004
【図３】
2011246257.tif 000005
【図４】
2011246257.tif 000006
【図５】
2011246257.tif 000007
【図６】
2011246257.tif 000008
【図７】
2011246257.tif 000009
【図８】
2011246257.tif 000010
【図９】
2011246257.tif 000011
【図１０】
2011246257.tif 000012
【図１１】
2011246257.tif 000013
【図１２】
2011246257.tif 000014